(57)【特許請求の範囲】
【請求項１】
綾巻きパッケージを形成するための繊維機械であって、互いに並列して配置されている巻取り部を有していて、これらの巻取り部は巻取りパッケージに接近可能な吸込みノズルをそれぞれ有しており、該吸込みノズルは共通の負圧供給装置に接続されている形式のものにおいて、
吸込みノズル（１２）に、該吸込みノズル（１２）の吸込み作用を変えるための装置（１４）が対応配置されていて、該装置（１４）は制御可能な駆動装置（１５）によって調節可能であり、かつ巻取りパッケージに巻きつけられた糸の種類に関連して、所定の開放位置に調節可能であり、
吸込み作用を変えるための装置（１４）が、駆動装置（１５）によって、あらかじめ規定可能な時間内であらかじめ規定可能な開放位置の間で調節可能であり、
吸込み作用を変えるための前記装置（１４）が、調整可能な絞りを有しており、該絞りは、開放位置と閉鎖位置との間、またはより大きく開放された位置とより小さく開放された位置との間で迅速に切換えて往復運動されることを特徴とする、綾巻きパッケージを形成するための繊維機械。
【請求項２】
駆動装置（１５）が、巻取り部コンピュータ（１６）によって制御可能なステップモータを有している、請求項１記載の繊維機械。
【請求項３】
前記開放位置が、負圧供給装置内の瞬間的な負圧に関連して調節可能である、請求項１記載の繊維機械。
【請求項４】
糸端部を把持したことを検知して、この把持信号を巻取り部コンピュータ（１６）に送信するためにセンサ（１８）が設けられており、前記巻取り部コンピュータが回路を有していて、該回路は、あらかじめ規定可能な時間を過ぎても把持信号が送られてこない場合に、駆動装置（１５）を制御して前記装置（１４）が吸込みノズルの吸込み作用を高めるようになっている、請求項１から３までのいずれか１項記載の繊維機械。
【請求項５】
前記回路が、吸込みノズルの吸込み作用を徐々に高めるように調整されている、請求項４記載の繊維機械。
【請求項６】
前記回路が、吸込みノズルの吸込み作用を段階的に高めるように調整されている、請求項５記載の繊維機械。
【請求項７】
前記吸込みノズル（１２）は、旋回軸（１３）の領域において負圧供給装置に接続されていて、管状の部材として形成された前記旋回軸（１３）に、前記吸込みノズル（１２）の吸込み作用を調節する前記絞りが対応配置されている、請求項１から６までのいずれか１項記載の繊維機械。
【発明の詳細な説明】
【技術分野】
【０００１】
本発明は、少なくとも１つの巻取り部を有する、綾巻きパッケージを形成するための繊維機械であって、該巻取り部は巻取りパッケージに接近可能な吸込みノズルを有していて、該吸込みノズルは負圧供給装置に接続されている形式のものに関する。
【背景技術】
【０００２】
冒頭で述べた形式の吸込みノズルの役割は、巻取りパッケージが巻戻し方向に回転させられている間に、巻取りパッケージの周面にある糸端部を探し出して、吸い込み、次いで、糸継ぎ装置に挿入することである。
【０００３】
巻取り機に関連して、複数の巻取り部のために走行可能な作業ユニットを設けていることは公知（ドイツ連邦共和国特許出願公開第３２２５３７９号明細書）であり、この作業ユニットは、巻返し作業時にクリヤラ（除塵）に基づいて切断が実施されると糸結合を形成する。作業ユニットは吸込みノズルを有しており、この吸込みノズルは、巻取りパッケージの周面にある糸端部を探し出して吸い込むために、当該の巻取り部の巻取りパッケージに接近可能である。吸込みノズルを吸込み空気で負荷するために、いわゆる吸込み空気調量装置が設けられており、この吸込み空気調量装置は切換弁を介して吸込みノズルを負圧供給装置に接続することができる。吸込み空気測定装置は吸込みノズルと吸込み空気供給装置との間の接続部を開閉する。
【０００４】
オープンエンド精紡機の場合には、各紡績装置が巻取りパッケージに接近可能な吸込みノズルを備えていることは公知（ドイツ連邦共和国特許出願公開第１０１３９０７４号明細書）である。糸端部を探し出して、巻取り方向とは逆方向に駆動された巻取りパッケージにおいて糸端部を抜き出す吸込みノズルは、切換可能な弁を介して負圧供給装置に接続されている。
【０００５】
ドイツ連邦共和国特許出願公開第１０２５７８０４号明細書、同第１０２０１５３３号明細書および同第１０１３９０７４号明細書にも、上糸を把持するための吸込みノズルへの吸込み空気供給について記載されている。これらすべての明細書に共通していることは吸込み空気接続部は切換可能である、つまり吸込み空気接続部は接続および遮断されうるということである。
【０００６】
ドイツ連邦共和国特許出願公開第１７８５２９３号明細書には、上糸のための吸込みノズルの主吸込み通路における調節可能な絞りについて記載されている。この絞りは完全な開放位置および完全な閉鎖位置の他に、一時的に固定した中間位置を占めることができる。この中間位置は、糸端部が把持されて初めて調節され、減衰された負圧によって糸端部が吸込みノズルの長手方向スリットから抜け出し、それによって、別体のグリップ機構により糸を把持するための弦が形成される。
【０００７】
さらに、準備されたコップを巻取り機の複数の巻取り部に供給するコップ供給装置を、遮断装置によって吸込み空気供給装置に接続することは公知（ドイツ連邦共和国特許出願公開第１９６５０９３４号明細書）である。コップ供給装置は長手方向スリットを備えた、固定された管から構成されており、この管にコップが接近可能となっている。管と中央吸込み空気供給装置との間に配置された遮断装置はモータ駆動される絞りを有しており、この絞りによって吸込み空気は接続および遮断されるだけでなく、吸込み空気の作用の強さに関連して調節することもできる。
【先行技術文献】
【特許文献】
【０００８】
【特許文献１】ドイツ連邦共和国特許出願公開第３２２５３７９号明細書
【特許文献２】ドイツ連邦共和国特許出願公開第１０１３９０７４号明細書
【特許文献３】ドイツ連邦共和国特許出願公開第１０２５７８０４号明細書
【特許文献４】ドイツ連邦共和国特許出願公開第１０２０１５３３号明細書
【特許文献５】ドイツ連邦共和国特許出願公開第１７８５２９３号明細書
【特許文献６】ドイツ連邦共和国特許出願公開第１９６５０９３４号明細書
【発明の概要】
【発明が解決しようとする課題】
【０００９】
そこで、本発明の課題は、冒頭で述べた形式の、綾巻きパッケージを形成するための繊維機械の巻取り機の融通性（フレキシブル性）を改良することであり、特に綾巻きパッケージの、いわゆる上糸の収容を最適化することである。
【課題を解決するための手段】
【００１０】
この課題を解決した本発明によれば、吸込みノズルに、該吸込みノズルの吸込み作用を変えるための装置が対応配置されていて、該装置は制御可能な駆動装置によって調節可能であり、かつ巻取りパッケージに巻きつけられた糸の種類に関連して、所定の開放位置に調節可能であり、吸込み作用を変えるための装置が、駆動装置によって、あらかじめ規定可能な時間内であらかじめ規定可能な開放位置の間で調節可能である。
【発明の効果】
【００１１】
種々異なる糸は種々異なる感度で負圧に反応する。この負圧は吸込みノズルによって糸および巻取りパッケージにかけられる。負圧に対する種々異なる感度を有する種々異なる糸または撚り糸が、機械によって処理されるべき場合、本発明によれば、綾巻きパッケージを形成するための繊維機械の巻取り部の別の部材または綾巻きパッケージを形成するための繊維機械を新たに調節する必要なしに、比較的簡単な手段で、各巻取り部に対して負圧の作用を異なって適合させることができる。この場合、複数またはすべての領域が１つの共通の負圧供給装置に接続されていたとしても、吸込みノズルによって見つけ出し、引き出そうとする糸およびパッケージにかかる吸込みノズルによる負圧の作用は、別の領域で必要とされる負圧とは無関係に調節可能である。負圧供給装置からの負圧が同様に必要とされる別の領域にまたは巻取り部に影響を与えることなく、負圧をそれぞれの吸込みノズルの領域において最適化することが可能である。
【００１２】
本発明によれば、例えば手動によって充填可能な丸いコップマガジンを巻取り部に有する、コップを巻返すための巻取り機において、糸の感度に関連しても明らかにことなっている複数の異なる種類の糸を処理することができる。
【００１３】
本発明の実施態様によれば、吸込み作用を変えるための装置が調節可能な絞りを有している。このような絞りにより、大きな範囲で吸込み作用を変えることができる。
【００１４】
本発明の別の実施態様では、駆動装置は巻取り部コンピュータによって制御可能な１つのステップモータを有している。ステップモータは絞りを所望の各位置に動かし、かつそこに固定できる。
【００１５】
また、共通の負圧供給装置における負圧変動は、変化した負圧に絞り位置が適合され、次いで糸の種類に合わせて一定に保たれた負圧を吸込みノズルに保証することによって抑止される。このために共通の負圧供給装置において負圧が監視され、巻取り部コンピュータに送信され、この場合にこの巻取り部コンピュータは絞り位置の適合を制御する。
【００１６】
本発明の別の実施態様によれば、糸端部の把持を監視し、把持信号を巻取り部コンピュータに送信するためのセンサが設けられている。巻取り部コンピュータは、あらかじめ規定可能な時間を過ぎても把持信号がない場合に、前記装置が吸込みノズルの吸込み作用を高めるように駆動装置を制御する回路を有している。これによって、例えば敏感な糸に基づいて調節された、ノズル開口部における低い負圧により、高められた負圧において、自動的な把持がまだ可能であっても糸端部を把持するために操作員がしばしば介入しなければならないということがないように、保証される。負圧の増大は徐々に行われる。この場合、徐々にとは、連続的にまたは段階的に増大するという意味である。糸の探索は、小さい角度範囲の吸込みノズルの首振り運動により促進される。糸の探索は、（場合によっては基本位置まで達する）より大きい旋回経路を巡る吸込みノズルのそれぞれの戻り旋回によって、中断させることができる。新たなに糸探索を行う場合には、吸込み作用は変えられた絞り位置によりその都度に強められる。
【００１７】
本発明の構成では、吸込み作用を変えるための装置は、駆動装置によって、あらかじめ規定された時間内であらかじめ規定された開放位置の間を調節可能である。このような形式で吸込み空気流の迅速な増減を生ぜしめることが可能であり、この吸込み空気流の増減によって吸込みノズルは、糸端部の探索および引き出し時に巻取りパッケージに作用する。これによってパッケージに巻付けられた糸端部を容易に見つけ出すことができる。さらに、絞りの開放位置を超えてパルスの周波数によって糸に対する作用の強さに影響を及ぼすことができる。
【図面の簡単な説明】
【００１８】
【図１】綾巻きパッケージを形成するための繊維機械の１つの巻取り部の概略図である。
【発明を実施するための形態】
【００１９】
以下に、図面に示した実施例を用いて本発明を詳しく説明する。
【００２０】
図面には綾巻きパッケージを形成するための繊維機械の、１つの巻取り部が概略的に示されており、この繊維機械は図示の実施例では巻取り機であって、この巻取り機においてコップが綾巻きパッケージに巻き返され、巻取り機は、通常このような巻取り部を複数有している。択一的には本発明による巻取り部は、紡績装置に接続して配置されている巻取り部であってもよい。
【００２１】
各巻取り部において、ボビン１いわゆるコップから糸が引き出され、綾巻きパッケージいわゆる巻取りパッケージ３に巻取られる。１つの綾巻きパッケージは複数のボビン１から供給される糸を収容する。
【００２２】
糸２が光電式または電気容量式のクリヤラ４を通過することによって、巻返し中に糸２の欠陥が検出される。
【００２３】
クリヤラ４が欠陥を確認すると、糸２は切断される。欠陥のある糸長さは取り除かれ、これによってできた糸端部は再び撚り継ぎされる。これは例えば撚り継ぎ装置５によって行われる。
【００２４】
巻取りパッケージ３はパッケージフレーム６に保持されていて、このパッケージフレーム６は軸７を中心にして、全巻取り作業中に巻取りパッケージ３の周面が、常に巻付けローラ上に載って、この巻付けローラ８による摩擦で駆動されるように、旋回可能である。この巻付けローラ８は、図示されていない駆動モータを備えており、この駆動モータは巻付けローラ８を巻取り方向（矢印で示されている）でも巻戻し方向でも駆動することができる。
【００２５】
クリヤラ４が糸２を切断するかまたは糸が別の理由から破断すると、巻取りパッケージに結びつけられた糸端部はさらに巻取りパッケージ３に巻取られ、この巻取りパッケージ３の周面のどこかに存在する。ボビン１に結びつけられた糸端部は糸緊張装置９に保持される。糸結合を再び形成するために、結合しようとする両方の糸端部は糸結合装置、つまり撚り継ぎ装置５に挿入されなければならない。
【００２６】
このために軸１１を中心にして旋回可能な下糸グリッパ１０が、ボビン１から出て糸緊張装置９に向かって延びている下糸に接近させられる。軸１３を中心にして旋回可能な吸込みノズル１２が、巻取りパッケージ３に接近させられる。巻取りパッケージ３の周面上に存在する糸端部を見つけ出し、収容して、引き出すために、巻取りパッケージ３は巻付けローラ８によって巻取り方向とは逆方向に駆動される。吸込みノズル１２は糸端部を把持した後に巻取りパッケージから引き出された糸、いわゆる上糸と共に図示の位置に戻り、かつ糸を撚り継ぎ装置５に挿入する。
【００２７】
吸込みノズル１２は曲がった管状の部材であり、この部材はその端部に巻取りパッケージ３の幅にほぼ相当する幅を有する平らなノズルを形成している。吸込みノズルはその旋回軸１３の領域において負圧供給装置に接続されている。このために旋回軸１３が例えば管状の部材として形成されており、この部材は機械長さの負圧供給装置に沿って延在している。
【００２８】
本発明に従って吸込みノズルの吸込み作用を調節できるようにするために、旋回軸を形成する管状の部材１３に絞り１４が対応配置されており、該絞り１４によって開口横断面ひいては吸込み空気流の強さならびに吸込みノズル１２の吸込み作用を調節することができる。
【００２９】
絞り１４はステップモータを有する駆動装置１５により旋回可能である。絞り１４は駆動装置によって所望の各位置に調節可能である。
【００３０】
ステップモータは巻取り部コンピュータ１６によって制御され、このコンピュータ１６は、巻取り部のその他の構成部分、つまりクリヤラ４、撚り継ぎ装置５、巻付けローラ８の駆動装置、糸緊張装置９および駆動装置を制御する。前記駆動装置は糸グリッパ１０および吸込みノズル１２の旋回運動を生ぜしめる。巻取り部コンピュータ１６に入力装置１７が対応配置されていて、該入力装置１７によって運動条件および特に絞り１４の所望の開放位置も入力され、この開放位置はモータ駆動装置によって調節される。開放位置の調節は巻取り機の中央制御装置によっても実施することができる。このために巻取り部コンピュータは、概略的に示されているように、機械のデータバスに接続されている。モータ駆動装置によって、絞り１４が規定された時点で開閉され、かつ開放位置において規定された位置を占め、ひいてはあらかじめ規定可能な横断面を解放することができる。本発明の実施例によれば、吸込みノズル１２が巻取りパッケージ３に接近した時に、絞り１４が調節される開口部断面は、上糸を糸撚り継ぎ装置に挿入するために、吸込みノズル１２が見つけ出された糸と共に巻取りパッケージ３から再び離れる間に調節される開口横断面とは異なっている。これらの開口横断面の切換えは、センサ１８によって制御される。このセンサ１８は吸込みノズル１２内に配置されていて、吸込みノズルが巻取りパッケージ３の糸端部を見つけて収容したかどうかを検知する。こうして糸端部が検知され把持された後に、負圧は絞り位置によって解消され、糸探しのために必要とされたより高い負圧はもはや加えられる必要はない。
【００３１】
さらにセンサ１８が、あらかじめ規定可能な時間を過ぎても糸を把持したことを巻取り部コンピュータ１６に伝達しない場合には、集中的に糸を探し出すために絞り１４がさらに開放される。択一的に絞り１４のさらなる開放は、段階的にまたは連続して行われる。
【００３２】
別の実施例によれば、吸込みノズル１２が巻取りパッケージ３に近づけられると、絞り１４は、開放位置と閉鎖位置との間、またはより大きく開放された位置とより小さく開放された位置との間で迅速に切換えて往復運動されるので、巻取りパッケージ３の周面に作用する増減する吸込み空気量が得られる。このような絞り１４の運動は、有利にはステップモータとして形成されて逆転可能な駆動装置１５を相応に制御することによって得られる。吸込み空気量の増減は、有利な形式で、吸込みグリッパが巻取りパッケージ３に接近している間だけ行われる。センサ１８によって糸端部が見つけ出されて収容されたということが検知されると、絞り１４は、所定の吸込み作用に対応された所定の位置に停止する。
【００３３】
共通の負圧供給装置内の図示されていない負圧モニタは、巻取り部コンピュータと接続されていて、かつ圧力データを伝達する。このような形式で絞り位置も負圧供給装置内の負圧に関連して適合させることができる。
【００３４】
個別に必要とされている、絞りによって解放しようとするそれぞれの横断面は、負圧供給装置内の負圧および吸込みノズル開口部において必要とされる負圧に関連して、経験的に算出されるかもしくは最適化される。この場合、絞り位置は閉鎖位置の近くで特に正確に算出される。なぜならば開放位置の領域では、吸込みノズル開口部の領域における顕著な負圧変化は、まだもたらされないからである。このことはとりわけ吸込みノズル開口部の横断面が一段と小さくなってから初めて明らかな圧力低下が生じることに、起因する。
【符号の説明】
【００３５】
１  ボビン、  ２  糸、  ３  巻取りパッケージ、  ４  クリヤラ、  ５  撚り継ぎ装置、  ６  パッケージフレーム、  ７  軸、  ８  巻付け装置、  ９  糸緊張装置、  １０  下糸グリッパ、  １１  軸、  １２  吸込みノズル、  １３  旋回軸、  １４  絞り、  １５  駆動装置、  １６  巻取り部コンピュータ、  １７  入力装置、  １８  センサ
【図１】
0005638040.tif 000002